【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
無線通信システムにおける中継局のアップストリーム帯域幅要請及び割り当て方法において、
所定時間の間、それぞれ、１つ以上の端末から要請帯域幅の量情報を含む１つ以上の帯域幅割り当て要請メッセージを受信する過程と、
前記帯域幅割り当て要請メッセージが受信される際、前記１つ以上のメッセージを介して端末が要請した帯域幅の量を検出する過程と、
前記検出した各端末別要請帯域幅の量を合せて、総要請帯域幅の量を計算し、前記計算した総要請帯域幅の量情報を含む新しい帯域幅割り当て要請メッセージを生成して基地局に伝送する過程と
を含むことを特徴とする方法。
【請求項２】
前記総要請帯域幅は、中継局自身が必要とする帯域幅の量を含むことを特徴とする請求項１に記載の方法。
【請求項３】
前記メッセージが受信される際、前記端末が要請したサービス品質及び優先順位を検査し、前記検査したサービス品質及び優先順位情報を保存する過程をさらに含むことを特徴とする請求項１に記載の方法。
【請求項４】
前記端末が要請した帯域幅の量は、前記サービス品質及び優先順位情報を考慮して検出することを特徴とする請求項３に記載の方法。
【請求項５】
前記基地局から帯域幅が割り当てられる際、前記割り当てられた帯域幅を各端末が要請した帯域幅の量に応じて該当端末に割り当てる過程をさらに含むことを特徴とする請求項１に記載の方法。
【請求項６】
前記検出した各端末の要請帯域幅の量を保存する過程をさらに含むことを特徴とする請求項１に記載の方法。
【請求項７】
無線通信システムにおける中継局のアップストリーム帯域幅要請及び割り当て方法において、
所定時間の間、１つ以上の端末から所定の量の帯域幅を要請するコード分割多重接続（Ｃｏｄｅ  Ｄｉｖｉｓｉｏｎ  Ｍｕｌｔｉｐｌｅ  Ａｃｃｅｓｓ：以下、「ＣＤＭＡ」とする）コードを受信する過程と、
前記ＣＤＭＡコードが受信される際、前記コードを介して端末が要請した帯域幅の量を検出する過程と、
前記検出した各端末別要請帯域幅の量を合せて、総要請帯域幅の量を計算し、前記計算した量の帯域幅を要請する新しいＣＤＭＡコードを生成して基地局に伝送する過程と
を含むことを特徴とする方法。
【請求項８】
前記総要請帯域幅が、中継局自身が必要とする帯域幅の量を含むことを特徴とする請求項７に記載の方法。
【請求項９】
前記ＣＤＭＡコードが受信される際、前記端末が要請したサービス品質及び優先順位を検査し、前記検査したサービス品質及び優先順位情報を保存する過程をさらに含むことを特徴とする請求項７に記載の方法。
【請求項１０】
前記端末が要請した帯域幅の量は、前記サービス品質及び優先順位情報を考慮して検出することを特徴とする請求項９に記載の方法。
【請求項１１】
前記基地局から帯域幅が割り当てられる際、前記割り当てられた帯域幅を各端末が要請した帯域幅の量に応じて該当端末に割り当てる過程をさらに含むことを特徴とする請求項７に記載の方法。
【請求項１２】
前記検出した各端末の要請帯域幅の量を保存する過程をさらに含むことを特徴とする請求項７に記載の方法。
【請求項１３】
前記新しいＣＤＭＡコードは、ＣＤＭＡコードテーブルから前記帯域幅要請に該当する指定された領域を選択して生成することを特徴とする請求項７に記載の方法。
【請求項１４】
前記所定の量の帯域幅は、事前に約束した量の帯域幅であることを特徴とする請求項７に記載の方法。
【請求項１５】
無線通信システムにおける中継局のアップストリーム帯域幅要請及び割り当て方法において、
端末から帯域幅割り当て要請メッセージが受信される際、前記帯域幅割り当て要請メッセージを基地局に再伝送する過程と、
前記基地局から帯域幅が割り当てられる際、前記端末に要請された帯域幅を割り当てる過程と
を含むことを特徴とする方法。
【請求項１６】
無線通信システムにおける中継局のアップストリーム帯域幅要請及び割り当て方法において、
端末から所定の量の帯域幅割り当てを要請するＣＤＭＡコードが受信される際、前記受信されたＣＤＭＡコードを基地局に再伝送する過程と、
前記基地局から帯域幅が割り当てられる際、前記端末に要請された帯域幅を割り当てる過程と
を含むことを特徴とする方法。
【請求項１７】
前記所定の量の帯域幅は、事前に約束した量の帯域幅であることを特徴とする請求項１６に記載の方法。
【請求項１８】
無線通信システムにおける中継局のアップストリーム帯域幅要請及び割り当て装置において、
要請帯域幅の量情報を含む帯域幅割り当て要請メッセージを生成して中継局に伝送する端末と、
所定時間の間、１つ以上の端末から前記帯域幅割り当て要請メッセージを受信し、前記メッセージを介して各端末が要請した帯域幅の量を検出し、前記検出した各端末別要請帯域幅の量を合せて総要請帯域幅の量を計算した後、前記計算した総要請帯域幅の量情報を含む新しい帯域幅割り当て要請メッセージを生成して基地局に伝送する前記中継局と、
前記帯域幅割り当て要請メッセージが受信される際、スケジューリングに応じて前記中継局に帯域幅を割り当てる前記基地局と
を含むことを特徴とする装置。
【請求項１９】
前記中継局は、前記基地局から帯域幅が割り当てられる際、前記割り当てられた帯域幅を各端末が要請した帯域幅の量に応じて該当端末に割り当てることを特徴とする請求項１８に記載の装置。
【請求項２０】
前記中継局は、前記メッセージが受信される際、前記端末が要請したサービス品質及び優先順位を検査し、前記検査したサービス品質及び優先順位情報と、前記検出した各端末の要請帯域幅の量を保存した後、前記サービス品質及び優先順位情報を考慮して、前記端末が要請した帯域幅の量を計算することを特徴とする請求項１８に記載の装置。
【請求項２１】
前記中継局は、前記中継局自身が必要とする帯域幅の量を含んで前記総要請帯域幅の量を計算することを特徴とする請求項１８に記載の装置。
【請求項２２】
無線通信システムにおける中継局のアップストリーム帯域幅要請及び割り当て装置において、
所定の量の帯域幅を要請するＣＤＭＡコードを生成して中継局に伝送する端末と、
所定時間の間、１つ以上の端末から前記ＣＤＭＡコードを受信し、前記コードを介して各端末が要請した帯域幅の量を検出し、前記検出した各端末別要請帯域幅の量を合せて総要請帯域幅の量を計算した後、前記計算した量の帯域幅を要請する新しいＣＤＭＡコードを生成して基地局に伝送する前記中継局と、
前記ＣＤＭＡコードが受信される際、スケジューリングに応じて前記中継局に帯域幅を割り当てる前記基地局と
を含むことを特徴とする装置。
【請求項２３】
前記中継局は、前記基地局から帯域幅が割り当てられる際、前記割り当てられた帯域幅を各端末が要請した帯域幅の量に応じて該当端末に割り当てることを特徴とする請求項２２に記載の装置。
【請求項２４】
前記中継局は、前記コードが受信される際、前記端末が要請したサービス品質及び優先順位を検査し、前記検査したサービス品質及び優先順位情報と前記検出された各端末の要請帯域幅の量を保存した後、前記サービス品質及び優先順位情報を考慮して前記端末が要請した帯域幅の量を計算することを特徴とする請求項２２に記載の装置。
【請求項２５】
前記中継局は、前記中継局自身が必要とする帯域幅の量を含んで前記総要請帯域幅の量を計算することを特徴とする請求項２２に記載の装置。
【請求項２６】
前記端末又は中継局は、ＣＤＭＡコードテーブルから前記帯域幅要請に該当する指定された領域を選択してＣＤＭＡコードを生成することを特徴とする請求項２２に記載の装置。
【請求項２７】
前記所定の量の帯域幅は、事前に約束した量の帯域幅であることを特徴とする請求項２２に記載の装置。
【請求項２８】
無線通信システムにおける中継局のアップストリーム帯域幅要請及び割り当て装置において、
要請帯域幅の量情報を含む帯域幅割り当て要請メッセージを生成して、中継局に伝送する端末と、
端末から帯域幅割り当て要請メッセージが受信される際、前記帯域幅割り当て要請メッセージを基地局に再伝送し、前記基地局から帯域幅が割り当てられる際、前記端末に要請された帯域幅を割り当てる前記中継局と、
前記帯域幅割り当て要請メッセージが受信される際、スケジューリングに応じて前記中継局に帯域幅を割り当てる前記基地局と
を含むことを特徴とする装置。
【請求項２９】
無線通信システムにおける中継局のアップストリーム帯域幅要請及び割り当て装置において、
所定の量の帯域幅を要請するＣＤＭＡコードを生成して中継局に伝送する端末と、
前記端末から所定の量の帯域幅割り当てを要請するＣＤＭＡコードが受信される際、前記受信したＣＤＭＡコードを基地局に再伝送し、前記基地局から帯域幅が割り当てられる際、前記端末に要請された帯域幅を割り当てる前記中継局と、
前記ＣＤＭＡコードが受信される際、スケジューリングに応じて前記中継局に帯域幅を割り当てる前記基地局と
を含むことを特徴とする装置。
【請求項３０】
前記所定の量の帯域幅は、事前に約束した量の帯域幅であることを特徴とする請求項２９に記載の装置。
【手続補正２】
【補正対象書類名】明細書
【補正対象項目名】０００９
【補正方法】変更
【補正の内容】
【０００９】
上記の目的を達成すべく、本発明の実施の形態によれば、広帯域無線接続通信システムにおける中継局のアップストリーム帯域幅要請及び割り当て方法は、時間の間、それぞれ、１つ以上の端末から要請帯域幅の量情報を含む１つ以上の帯域幅割り当て要請メッセージを受信する過程と、前記帯域幅割り当て要請メッセージが受信される際、１つ以上の前記メッセージを介して端末が要請した帯域幅の量を検出する過程と、前記検出した各端末別要請帯域幅の量を合せて、総要請帯域幅の量を計算し、前記計算した総要請帯域幅の量情報を含む新しい帯域幅割り当て要請メッセージを生成して基地局に伝送する過程と、を含むことを特徴とする。